(57)【要約】  噴射ヘッドを在庫として保管しやすくすることによって、保管場所の制約やコスト上昇の問題を解消することができるようにしたガス系消火設備用の消音機能を有する噴射ヘッド及びその保管・組立方法を提供するため、噴射ヘッド１が、配管との接続部２１を形成した噴射ヘッド本体２と、噴射ヘッド本体２に配設した消火剤ガスが流通するオリフィス３１ａ、３２ａを形成したオリフィス板３１、３２と、オリフィス板３２の消火剤ガスの出口側に配設した消火剤ガスが流通可能な多孔性材料からなるブロック形状の消音部材４とを備え、オリフィス板３１を、噴射ヘッド本体２の配管との接続部２１側の開口２２を通して、噴射ヘッド本体２に着脱可能にされてなる。
2018123656.tif 000002
【特許請求の範囲】
【請求項１】
消火剤ガスを使用するガス系消火設備において消火対象区画に消火剤ガスを放出するために消火剤ガスが供給される配管に接続して設置される消音手段を備えた噴射ヘッドであって、前記噴射ヘッドが、前記配管との接続部を形成した噴射ヘッド本体と、該噴射ヘッド本体に配設した消火剤ガスが流通するオリフィスを形成したオリフィス板と、該オリフィス板の消火剤ガスの出口側に配設した消火剤ガスが流通可能な多孔性材料からなるブロック形状の消音部材とを備え、前記オリフィス板を、噴射ヘッド本体の配管との接続部側の開口を通して、噴射ヘッド本体に着脱可能にされてなることを特徴とするガス系消火設備用の消音機能を有する噴射ヘッド。
【請求項２】
前記オリフィス板を、噴射ヘッド本体の配管との接続部側に装着するＣ形止め輪により固定されるようにしてなることを特徴とする請求項１に記載のガス系消火設備用の消音機能を有する噴射ヘッド。
【請求項３】
前記オリフィス板を、噴射ヘッド本体に螺着されるようにするとともに、オリフィス板に、噴射ヘッド本体の配管との接続部側の開口を通して、オリフィス板を回転操作するための操作部を形成してなることを特徴とする請求項１に記載のガス系消火設備用の消音機能を有する噴射ヘッド。
【請求項４】
請求項１、２又は３記載の消火剤ガスを使用するガス系消火設備において消火対象区画に消火剤ガスを放出するために消火剤ガスが供給される配管に接続して設置される消音手段を備えた噴射ヘッドの保管・組立方法であって、前記噴射ヘッドが、前記配管との接続部を形成した噴射ヘッド本体と、該噴射ヘッド本体に配設した消火剤ガスが流通するオリフィスを形成したオリフィス板と、該オリフィス板の消火剤ガスの出口側に配設した消火剤ガスが流通可能な多孔性材料からなるブロック形状の消音部材とを備えてなり、前記噴射ヘッド本体に前記消音部材を組み付けた状態で保管しておき、出荷時に、前記オリフィス板を、噴射ヘッド本体の配管との接続部側の開口を介して、噴射ヘッド本体に装着するようにすることを特徴とするガス系消火設備用の消音機能を有する噴射ヘッドの保管・組立方法。
【発明の詳細な説明】
【技術分野】
【０００１】
本発明は、窒素、二酸化炭素、フッ素化合物等の消火剤ガスを使用するガス系消火設備において、消火対象区画に消火剤ガスを放出するために天井や壁面等に設置される噴射ヘッドに関し、特に、消火剤ガスが放出される際に発生する騒音を低減できるようにしたガス系消火設備用の消音機能を有する噴射ヘッドに関するものである。
【背景技術】
【０００２】
窒素、二酸化炭素、フッ素化合物等の消火剤ガスを使用するガス系消火設備において、消火の際にガス系消火設備が作動すると、約１分間以内（フッ素化合物の消火剤ガスの場合は１０秒）で消火対象区画の消火剤ガス濃度が消火濃度に達するように、消火剤ガスが放出される。【０００３】
このとき、消火剤ガスは、消火対象区画に消火剤ガスを放出するために天井や壁面等に設置される噴射ヘッドから放出されるが、ガス系消火設備用噴射ヘッドは、図２４（ａ）に示すような、消火剤ガスが供給される配管４０に接続された噴射ヘッド１０Ａの出口部にオリフィス２０を備え、オリフィス２０から消火剤ガスを直接消火対象区画に放出するようにしたものや、図２４（ｂ）に示すような、消火剤ガスが供給される配管４０に接続された噴射ヘッド１０Ｂの出口部にオリフィス２０及び円錐形状のデフレクタ（偏向部材）５０を備え、オリフィス２０から放出された消火剤ガスをデフレクタ（偏向部材）５０により偏向させて消火対象区画に放出するようにしたもの、さらには、図２４（ｃ）に示すような、噴射ヘッド１０Ｃの出口部にオリフィス（図示省略）及び円錐筒形状のホーン（拡散部材）６０を備え、オリフィスから放出された消火剤ガスをホーン（拡散部材）６０により拡散させて消火対象区画に放出するようにしたもの等が従来から汎用されてきた。【０００４】
このように、上記従来のガス系消火設備用噴射ヘッド１０Ａ、１０Ｂ、１０Ｃは、消火対象区画に通常複数個設置される各々の噴射ヘッドから同じ量の消火剤ガスが放出されるようにするために、噴射ヘッドから放出される消火剤ガスの流量をオリフィス２０によって制限するようにしているが、このため、噴射ヘッドから消火剤ガスが放出される際に、高レベルの騒音（具体的には、１２０ｄｂ以上の騒音）が発生することが知られていた。【０００５】
ところで、ガス系消火設備の作動時には、消火対象区画内に人が存在しないことが前提となっているため、噴射ヘッドから消火剤ガスが放出される際に発生する騒音（振動）に対しては、従来全く問題視されず、何の対策も取られていなかった。【０００６】
しかしながら、最近になって、ガス系消火設備の作動時に消火対象区画内に逃げ遅れた人がいた場合の対処、また、噴射ヘッドから消火剤ガスが放出される際に発生する騒音が周囲にいる人に悪影響を及ぼすおそれがあること、さらには、騒音（振動）が情報通信機器等の精密機器の故障の要因になるなどの知見に基づき、消火剤ガスが放出される際に発生する騒音を低減するための技術が提案されてきた（例えば、特許文献１〜５参照。）。
【先行技術文献】
【特許文献】
【０００７】
【特許文献１】特開２０１１−１１５２５５号公報
【特許文献２】特開２０１１−１２５６７３号公報
【特許文献３】特開２０１１−２５５１５２号公報
【特許文献４】特開２０１３−１６９３３３号公報
【特許文献５】特開２０１３−１９２７６４号公報
【発明の概要】
【発明が解決しようとする課題】
【０００８】
このように、噴射ヘッドから消火剤ガスが放出される際に発生する騒音（「振動」を含み、以下、単に、「騒音」という。）に起因する問題に対処するための上記技術のうち、特許文献１に記載の技術は、消火設備を起動すべき場合に、消火設備の起動タイミングと、消火設備起動に伴うＩＣＴ装置の動作不良発生防止のための回避措置タイミングとを連動させるもので、騒音の低減を目的とするものではなかった。
一方、特許文献２〜５に記載の技術は、また、騒音の低減を目的とするものではあるが、騒音の低減率を高めるためには、噴射ヘッドが、一般的な噴射ヘッドと比べて大型化することになるため、保管場所や設置場所の制約やコスト上昇の問題があった。【０００９】
特に、ガス系消火設備は、消火剤ガスが放出される区画の容積に応じた量の消火剤ガスを規定時間に放出する必要があるが、このため、区画の容積及び消火剤ガスを放出する噴射ヘッドの個数によって、各噴射ヘッドから放出される消火剤ガスの流量を異ならせる必要がある。
ところで、この消火剤ガスの流量の調節は、通常、噴射ヘッドに設けられるオリフィスの形状（オリフィス板に形成した消火剤ガスが流通するオリフィスの大きさ及び数）を選定することによって行うようにしている。
このため、噴射ヘッドは、１つの形状、１つのサイズを取り上げても、オリフィスの形状の違いで数十種類になり、さらに、サイズ（２０Ａ、２５Ａ、３２Ａ、４０Ａ）毎に集計すると数百種類にもなる。
そして、噴射ヘッドの出荷を迅速に行うことができるようにするために、１つの形状で、オリフィスの形状を異ならせた数百種類の噴射ヘッドを在庫として保管しておかなければならず、保管場所の制約やコスト上昇の問題があった。【００１０】
本発明は、上記従来のガス系消火設備用噴射ヘッド、特に、ガス系消火設備用の消音機能を有する噴射ヘッドの有する問題点に鑑み、噴射ヘッドを在庫として保管しやすくすることによって、保管場所の制約やコスト上昇の問題を解消することができるようにしたガス系消火設備用の消音機能を有する噴射ヘッド及びその保管・組立方法を提供することを目的とする。
【課題を解決するための手段】
【００１１】
上記目的を達成するため、本発明のガス系消火設備用の消音機能を有する噴射ヘッドは、消火剤ガスを使用するガス系消火設備において消火対象区画に消火剤ガスを放出するために消火剤ガスが供給される配管に接続して設置される消音手段を備えた噴射ヘッドであって、前記噴射ヘッドが、前記配管との接続部を形成した噴射ヘッド本体と、該噴射ヘッド本体に配設した消火剤ガスが流通するオリフィスを形成したオリフィス板と、該オリフィス板の消火剤ガスの出口側に配設した消火剤ガスが流通可能な多孔性材料からなるブロック形状の消音部材とを備え、前記オリフィス板を、噴射ヘッド本体の配管との接続部側の開口を通して、噴射ヘッド本体に着脱可能にされてなることを特徴とする。【００１２】
この場合において、前記オリフィス板を、噴射ヘッド本体の配管との接続部側に装着するＣ形止め輪により固定されるようにしてなるようにしたり、噴射ヘッド本体に螺着されるようにするとともに、オリフィス板に、噴射ヘッド本体の配管との接続部側の開口を通して、オリフィス板を回転操作するための操作部を形成してなるようにすることができる。【００１３】
また、本発明のガス系消火設備用の消音機能を有する噴射ヘッドの保管・組立方法は、上記の消火剤ガスを使用するガス系消火設備において消火対象区画に消火剤ガスを放出するために消火剤ガスが供給される配管に接続して設置される消音手段を備えた噴射ヘッドの保管・組立方法であって、前記噴射ヘッドが、前記配管との接続部を形成した噴射ヘッド本体と、該噴射ヘッド本体に配設した消火剤ガスが流通するオリフィスを形成したオリフィス板と、該オリフィス板の消火剤ガスの出口側に配設した消火剤ガスが流通可能な多孔性材料からなるブロック形状の消音部材とを備えてなり、前記噴射ヘッド本体に前記消音部材を組み付けた状態で保管しておき、出荷時に、前記オリフィス板を、噴射ヘッド本体の配管との接続部側の開口を介して、噴射ヘッド本体に装着するようにすることを特徴とする。
【発明の効果】
【００１４】
本発明のガス系消火設備用の消音機能を有する噴射ヘッド及びその保管・組立方法によれば、オリフィス板を、噴射ヘッド本体の配管との接続部側の開口を通して、噴射ヘッド本体に着脱可能にすることによって、噴射ヘッド本体に消音部材を組み付けた状態で在庫として保管しておき、出荷時に、噴射ヘッドから放出される消火剤ガスの流量に対応したオリフィス板を、噴射ヘッド本体の配管との接続部側の開口を介して、噴射ヘッド本体に装着するようにすることにより、一般的な噴射ヘッドと比べて大型化するガス系消火設備用の消音機能を有する噴射ヘッドを在庫として保管しやすくすることによって、保管場所の制約やコスト上昇の問題を解消しながら、噴射ヘッドの出荷を迅速に行うことができるようにすることができる。
【図面の簡単な説明】
【００１５】
【図１】本発明のガス系消火設備用の消音機能を有する噴射ヘッドの第１実施例を示す斜め下から見た斜視図である。
【図２】同正面図である。
【図３】同左側面図である。
【図４】同平面図（オリフィス板３１を装着する前の状態。）である。
【図５】同底面図である。
【図６】（ａ）は図４のＸ−Ｘ断面図（オリフィス板３１を装着した状態。）、（ｂ）はオリフィス板の固定に使用するＣ形止め輪の平面図である。
【図７】本発明のガス系消火設備用の消音機能を有する噴射ヘッドの第２実施例を示す断面図である。
【図８】本発明のガス系消火設備用の消音機能を有する噴射ヘッドの第３実施例を示し、（ａ）は断面図、（ｂ）はオリフィス板の回転操作に使用する操作具の斜視図である。
【図９】本発明のガス系消火設備用の消音機能を有する噴射ヘッドの第４実施例を示す断面図である。
【図１０】本発明のガス系消火設備用の消音機能を有する噴射ヘッドの第５実施例を示す断面図である。
【図１１】本発明のガス系消火設備用の消音機能を有する噴射ヘッドの第６実施例を示す断面図である。
【図１２】本発明のガス系消火設備用の消音機能を有する噴射ヘッドの第７実施例を示す断面図である。
【図１３】本発明のガス系消火設備用の消音機能を有する噴射ヘッドの第８実施例を示す斜め下から見た斜視図である。
【図１４】同正面図である。
【図１５】同背面図である。
【図１６】同左側面図である。
【図１７】同右側面図である。
【図１８】同平面図（オリフィス板３１を装着する前の状態。）である。
【図１９】同底面図である。
【図２０】図１８のＸ−Ｘ断面図（オリフィス板３１を装着した状態。）である。
【図２１】本発明のガス系消火設備用の消音機能を有する噴射ヘッドの第９実施例を示す断面図である。
【図２２】本発明のガス系消火設備用の消音機能を有する噴射ヘッドの第１０実施例を示す断面図である。
【図２３】本発明のガス系消火設備用の消音機能を有する噴射ヘッドの第１１実施例を示す断面図である。
【図２４】従来のガス系消火設備用噴射ヘッドを示す説明図である。
【発明を実施するための形態】
【００１６】
以下、本発明のガス系消火設備用の消音機能を有する噴射ヘッドの実施の形態を、図面に基づいて説明する。
【００１７】
図１〜図６に、本発明のガス系消火設備用の消音機能を有する噴射ヘッドの第１実施例を示す。
【００１８】
このガス系消火設備用の消音機能を有する噴射ヘッド１は、消火剤ガスを使用するガス系消火設備において消火対象区画に消火剤ガスを放出するために消火剤ガスが供給される配管（図示省略）に接続して設置されるものであって、噴射ヘッド１が、配管との接続部２１を形成した噴射ヘッド本体２と、噴射ヘッド本体２に配設した消火剤ガスが流通するオリフィス３１ａ、３２ａを形成したオリフィス板３１、３２と、オリフィス板３１、３２の消火剤ガスの出口側に配設した消火剤ガスが流通可能な多孔性材料からなるブロック形状の消音部材４とを備えるようにしたものである。
【００１９】
本実施例において、オリフィス板３１、３２は、噴射ヘッド本体２の配管との接続部２１側の開口を通して、噴射ヘッド本体２に着脱可能にされてなるオリフィス板３１と、噴射ヘッド本体２の消火剤ガスの出口側に配設したオリフィス板３２とで構成するようにしている。
そして、オリフィス板３１とオリフィス板３２との間には、層状の空間２４を形成するようにし、消音部材４を、オリフィス板３２の消火剤ガスの出口側に配設するようにしている。
【００２０】
このうち、オリフィス板３１は、噴射ヘッド１から放出される消火剤ガスの流量を規制する機能を有するものである。
そして、例えば、オリフィス３１ａの形状（オリフィス３１ａの大きさ及び数）が異なる複数種類のオリフィス板３１をあらかめ用意しておき、出荷時に、別途在庫として保管していた、噴射ヘッド本体２に消音部材４を組み付けた状態のものに、噴射ヘッド１の設置場所等の条件に応じて、噴射ヘッドから放出される消火剤ガスの流量に対応したオリフィス板３１を選択し、当該選択したオリフィス板３１を、噴射ヘッド本体２の配管との接続部２１側の開口２２を介して、噴射ヘッド本体２に装着するようにする。
ここで、オリフィス板３１は、噴射ヘッド本体２の接続部２１側の内部空間に形成した段部２３に落とし込むように配置し、噴射ヘッド本体２の配管との接続部２１側に装着するＣ形止め輪７により固定されるようにしている。なお、オリフィス板３１の固定手段は、Ｃ形止め輪７に限定されず、後述の実施例において採用しているねじのほか、ばねや磁石等、任意の固定方式を採用することができる。また、オリフィス板３１は、噴射ヘッド本体２の接続部２１側の内部空間に形成した段部２３に落とし込むように配置され、消火剤ガスが放出される際には、消火剤ガスの圧力を受けて固定されるため、固定手段を省略することもできる。
これにより、一般的な噴射ヘッドと比べて大型化するガス系消火設備用の消音機能を有する噴射ヘッド１を在庫として保管しやすくなり、保管場所の制約やコスト上昇の問題を解消しながら、噴射ヘッド１の出荷を迅速に行うことができる。
【００２１】
一方、オリフィス板３２は、複数（本実施例では、等角度間隔に６個。）のオリフィス３２ａを形成したオリフィス板３２を、噴射ヘッド本体２の内部空間に形成した段部２５に、例えば、段部２５及びオリフィス板３２の周面に形成したねじを介して、着脱可能に配設するようにしている。
これにより、必要に応じて、オリフィス３２ａの形状（オリフィス３２ａの大きさ及び数）が異なる複数種類のオリフィス板３２を、噴射ヘッド１の設置場所等の条件に応じて選択することができる。
なお、着脱可能なオリフィス板３２を省略し、噴射ヘッド本体２に同様のオリフィス３２ａを直接形成することもできる。
【００２２】
この場合、オリフィス板３２は、消音部材４に面接触するようにすることが好ましい。
これにより、消音部材４の中心部から周辺部に向けて消火剤ガスを均一に流通させることによって、消火剤ガスの放出部位で発生する騒音を均一にできることと相俟って、騒音の低減率を一層高めることができる。
【００２３】
多孔性材料からなるブロック形状の消音部材４は、一体構造のもので構成するほか、本実施例に示すように、中心部材４１、周面部材４２及び中心部材４１と周面部材４２の端面をカバーする端面部材４３からなる分割構造のもので構成することができる。
【００２４】
消音部材４を構成する多孔性材料は、形状保持性能の高い無機材料（金属、金属の酸化物、金属の水酸化物等）からなる焼結体のほか、導電処理を行った発泡樹脂に電気メッキを行い、その後熱処理を行うことによって、三角柱状の骨格が３次元に連なった連続気孔（気孔率：最大９８％）を持つ金属（Ｎｉ、Ｎ−Ｃｒ）多孔体（住友電気工業社製「セルメット」（登録商標））を好適に用いることができる。
【００２５】
消音部材４を構成する多孔性材料の空隙の孔径は、全体を均質な材料で構成するほか、気体が流通する方向に変化させた材料、より具体的には、気体が流通する方向に小さくした材料で構成することができ、例えば、本実施例においては、中心部材４１の空隙の孔径よりも、周面部材４２及び端面部材４３の空隙の孔径が小さくなるような材料で構成することができる。
このように、消音部材４を構成する多孔性材料の空隙の孔径を、気体が流通する方向に小さくすることにより、消音部材４の各部位から消火剤ガスを均一に放出することによって、消火剤ガスの放出部位で発生する騒音を均一にできることと相俟って、騒音の低減率を一層高めることができる。
【００２６】
消音部材４は、ボルト５及びリング部材６によって、噴射ヘッド本体２に固定するようにしている。
そして、消音部材４は、一体構造、分割構造のいずれの場合も、消音部材４の一方側の端面が噴射ヘッド本体２（本実施例においては、オリフィス板３２を含む場合がある。）に接して配設されるとともに、消音部材４の周面及び他方側の端面が、ボルト５を介して噴射ヘッド本体２に消音部材４を固定するリング部材６に接する部分を除いて、大気に開放されてなるようにしている。
これにより、消音部材４の大気に開放される消火剤ガスの放出面積を大きく取ることができ、騒音の低減率を高めることができるとともに、消火剤ガスが放出される際に噴射ヘッド１にかかる消火剤ガスの噴射反力を、消音部材４の周面から放出される消火剤ガスの分が噴射ヘッド１の単位で相殺されることと相俟って、小さくすることができる。
【００２７】
この場合において、ボルト５を、消音部材４、本実施例においては、周面部材４２及び端面部材４３の内部を貫通して噴射ヘッド本体２に螺着することにより、消音部材４を、オリフィス板３２に面するようにして、噴射ヘッド本体２に固定、一体化するようにしている。
これにより、消音部材４の大気に開放される消火剤ガスの放出面積を一層大きく取ることができ、騒音の低減率を高めることができるとともに、放出される消火剤ガスがボルト５に干渉することによる騒音の発生を防止することができる。
【００２８】
また、本実施例においては、ボルト５が貫通する消音部材４の部位、本実施例においては、周面部材４２及び端面部材４３の部位４２ａ、４３ａを、他の箇所より外周側に膨出した形状に形成するようにしている。
これにより、消音部材４の大気に開放される消火剤ガスの放出面積をより一層大きく取ることができ、騒音の低減率を高めることができる。
また、消音部材４を構成する多孔性材料を、板状の素材から切り出して作成する場合は、本実施例の形状（四角形に近似した形状）にすることによって、材料の無駄をなくすことができる利点もある。
【００２９】
ところで、本実施例においては、ボルト５が貫通する消音部材４の部位を、他の箇所より外周側に膨出した形状に形成するようにしたが、均一な周面形状（円柱形状）とすることもできる。
【００３０】
図７に、本発明のガス系消火設備用の消音機能を有する噴射ヘッドの第２実施例を示す。
【００３１】
このガス系消火設備用の消音機能を有する噴射ヘッド１は、第１実施例の噴射ヘッド１のオリフィス板３２を省略し、オリフィス板３１の消火剤ガスの出口側に消音部材４を配設するようにしたものである（以下に示す他の実施例においても、本実施例と同様、オリフィス板３２を省略することができる。）。
なお、第１実施例の噴射ヘッド１においてオリフィス板３１の消火剤ガスの出口側に形成していた層状の空間２４を設けることもできる。
本第２実施例の噴射ヘッド１のその他の構成及び作用は、第１実施例の噴射ヘッド１と同様である。
【００３２】
図８に、本発明のガス系消火設備用の消音機能を有する噴射ヘッドの第３実施例を示す。
【００３３】
このガス系消火設備用の消音機能を有する噴射ヘッド１は、第１実施例の噴射ヘッド１のオリフィス板３１を、噴射ヘッド本体２の接続部２１側の内部空間に形成した段部２３及びオリフィス板３２の周面に形成したねじを介して、着脱可能に固定するようにしたものである。
ここで、オリフィス板３１には、噴射ヘッド本体２の配管との接続部２１側の開口２２を通して、オリフィス板３１を回転操作するための操作部３１ｂを形成するようにし、この操作部３１ｂに係合してオリフィス板３１を回転操作する操作具８を使用して、オリフィス板３１を着脱するようにする。
また、オリフィス板３１の消火剤ガスの出口側に消音部材４４を配設するようにしている。
本第３実施例の噴射ヘッド１のその他の構成及び作用は、第１実施例の噴射ヘッド１と同様である。
【００３４】
図９に、本発明のガス系消火設備用の消音機能を有する噴射ヘッドの第４実施例を示す。
【００３５】
このガス系消火設備用の消音機能を有する噴射ヘッド１は、第１実施例の噴射ヘッド１のオリフィス板３１を、第３実施例の噴射ヘッド１と同様、噴射ヘッド本体２の接続部２１側の内部空間に形成した段部２３及びオリフィス板３２の周面に形成したねじを介して、着脱可能に固定するようにしたものである。
また、オリフィス板３１の消火剤ガスの出口側に連なる、第１実施例の噴射ヘッド１において空間２４であった箇所に消音部材４５を配設するようにしている。
本第４実施例の噴射ヘッド１のその他の構成及び作用は、第１実施例及び第３実施例の噴射ヘッド１と同様である。
【００３６】
図１０に、本発明のガス系消火設備用の消音機能を有する噴射ヘッドの第５実施例を示す。
【００３７】
このガス系消火設備用の消音機能を有する噴射ヘッド１は、第１実施例の噴射ヘッド１のオリフィス板３２に代えて、有底筒状で、周面に複数（本実施例では、等角度間隔に６列、各列上下方向に等間隔に３個の合計１８個。）のオリフィス３３ａを形成したオリフィス筒３３を、噴射ヘッド本体２から延設して設け、オリフィス筒３３の消火剤ガスの出口側に、消火剤ガスが流通可能な多孔性材料からなるブロック形状の消音部材４を配設し、消音部材４の下面をオリフィス筒３３に螺合した蓋部材（デフレクタ）３６で支持するようにしたものである。
ここで、消音部材４は、中心部材４１及び周面部材４２からなる分割構造のもので構成するようにしている。
なお、オリフィス筒３３は、噴射ヘッド本体２と一体に構成するほか、別部材で構成し、ねじ等を介して一体化するように構成することもできる。
本第５実施例の噴射ヘッド１のその他の構成及び作用は、第１実施例の噴射ヘッド１と同様である。
【００３８】
図１１に、本発明のガス系消火設備用の消音機能を有する噴射ヘッドの第６実施例を示す。
【００３９】
このガス系消火設備用の消音機能を有する噴射ヘッド１は、第５実施例の噴射ヘッド１のオリフィス板３１を、第３実施例と同様、噴射ヘッド本体２の接続部２１側の内部空間に形成した段部２３及びオリフィス板３２の周面に形成したねじを介して、着脱可能に固定するようにしたものである。
ここで、オリフィス板３１の消火剤ガスの出口側に消音部材４４を配設するようにしている。
本第６実施例の噴射ヘッド１のその他の構成及び作用は、第１実施例、第３実施例及び第５実施例の噴射ヘッド１と同様である。
【００４０】
図１２に、本発明のガス系消火設備用の消音機能を有する噴射ヘッドの第７実施例を示す。
【００４１】
このガス系消火設備用の消音機能を有する噴射ヘッド１は、第５実施例の噴射ヘッド１のオリフィス板３１を、第３実施例の噴射ヘッド１と同様、噴射ヘッド本体２の接続部２１側の内部空間に形成した段部２３及びオリフィス板３２の周面に形成したねじを介して、着脱可能に固定するようにしたものである。
また、オリフィス板３１の消火剤ガスの出口側に連なる、有底筒状のオリフィス筒３３の内部の空間２４であった箇所に消音部材４６を配設するようにしたものである。
本第７実施例の噴射ヘッド１のその他の構成及び作用は、第１実施例、第３実施例及び第５実施例の噴射ヘッド１と同様である。
【００４２】
図１３〜図２０に、本発明のガス系消火設備用の消音機能を有する噴射ヘッドの第８実施例を示す。
【００４３】
このガス系消火設備用の消音機能を有する噴射ヘッド１は、第１実施例の噴射ヘッド１の消音部材４の支持を、ボルト５及びリング部材６によって行うことに代えて、消音部材４の大気に開放される一方側の端面の周縁部に当接して消音部材４を噴射ヘッド本体２に支持する、噴射ヘッド本体２と螺合するリング部材２７と、消音部材４の大気に開放される一方側の端面の中心部に当接して消音部材４を噴射ヘッド本体２に支持する、オリフィス板３２と螺着するボルト９とによって行うようにしたものである。
ここで、消音部材４は、上流側部材４７及び下流側部材４８からなる分割構造のもので構成するようにしている。消音部材４は、消音部材４の他方側（大気に開放される側の反対側）の端面が噴射ヘッド本体２（本実施例においては、オリフィス板３２を含む。）に接して配設されるとともに、消音部材４の一方側（大気に開放される側）の端面が、この端面の周縁部に当接するリング部材２７及び端面の中心部に当接するボルト９を介して、噴射ヘッド本体２に支持されるようにしている。そして、消音部材４を構成する下流側部材４８を、上流側部材４７より大径に形成するとともに、この下流側部材４８の外周縁部を、噴射ヘッド本体２の端面とリング部材２７の縁部とで挟持するようにして固定することにより、消音部材４（下流側部材４８）の大気に開放される消火剤ガスの放出面積を一層大きく取ることができ、騒音の低減率を高めることができる。
本第８実施例の噴射ヘッド１のその他の構成及び作用は、第１実施例の噴射ヘッド１と同様である。
【００４４】
図２１に、本発明のガス系消火設備用の消音機能を有する噴射ヘッドの第９実施例を示す。
【００４５】
このガス系消火設備用の消音機能を有する噴射ヘッド１は、第８実施例の噴射ヘッド１のオリフィス板３２を省略し、オリフィス板３１の消火剤ガスの出口側に消音部材４を配設するようにしたものである（以下に示す他の実施例においても、本実施例と同様、オリフィス板３２を省略することができる。）。
なお、第８実施例の噴射ヘッド１においてオリフィス板３１の消火剤ガスの出口側に形成していた層状の空間２４を設けることもできる。
本第９実施例の噴射ヘッド１のその他の構成及び作用は、第１実施例及び第８実施例の噴射ヘッド１と同様である。
【００４６】
図２２に、本発明のガス系消火設備用の消音機能を有する噴射ヘッドの第１０実施例を示す。
【００４７】
このガス系消火設備用の消音機能を有する噴射ヘッド１は、第８実施例の噴射ヘッド１のオリフィス板３１を、第３実施例と同様、噴射ヘッド本体２の接続部２１側の内部空間に形成した段部２３及びオリフィス板３２の周面に形成したねじを介して、着脱可能に固定するようにしたものである。
ここで、オリフィス板３１の消火剤ガスの出口側に消音部材４４を配設するようにしている。
本第１０実施例の噴射ヘッド１のその他の構成及び作用は、第１実施例、第３実施例及び第８実施例の噴射ヘッド１と同様である。
【００４８】
図２３に、本発明のガス系消火設備用の消音機能を有する噴射ヘッドの第１１実施例を示す。
【００４９】
このガス系消火設備用の消音機能を有する噴射ヘッド１は、第８実施例の噴射ヘッド１のオリフィス板３１を、第３実施例の噴射ヘッド１と同様、噴射ヘッド本体２の接続部２１側の内部空間に形成した段部２３及びオリフィス板３２の周面に形成したねじを介して、着脱可能に固定するようにしたものである。
また、オリフィス板３１の消火剤ガスの出口側に連なる、第１実施例の噴射ヘッド１において空間２４であった箇所に消音部材４５を配設するようにしている。
本第１１実施例の噴射ヘッド１のその他の構成及び作用は、第１実施例、第３実施例及び第８実施例の噴射ヘッド１と同様である。
【００５０】
以上、本発明のガス系消火設備用の消音機能を有する噴射ヘッドについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００５１】
本発明のガス系消火設備用の消音機能を有する噴射ヘッドは、噴射ヘッドを在庫として保管しやすくすることによって、保管場所の制約やコスト上昇の問題を解消することができることから、窒素、二酸化炭素、フッ素化合物等の消火剤ガスを使用するガス系消火設備の用途に広く用いることができ、適用対象も、新設のガス系消火設備に限定されず、噴射ヘッドを交換するだけで、既設のガス系消火設備にも適用することができる。
【符号の説明】
【００５２】
１  噴射ヘッド
２  噴射ヘッド本体
２１  接続部
２２  開口
２３  段部
２４  空間
２５  段部
２６  蓋部材
２７  リング部材
３１  オリフィス板
３１ａ  オリフィス
３１ｂ  操作部
３２  オリフィス板
３２ａ  オリフィス
３３  オリフィス筒
３３ａ  オリフィス
４  消音部材
４１  中心部材
４２  周面部材
４３  端面部材
４４  消音部材
４５  消音部材
４６  消音部材
４７  上流側部材
４８  下流側部材
５  ボルト
６  リング部材
７  Ｃ形止め輪
８  操作具
９  ボルト
【図１】
2018123656.tif 000003
【図２】
2018123656.tif 000004
【図３】
2018123656.tif 000005
【図４】
2018123656.tif 000006
【図５】
2018123656.tif 000007
【図６】
2018123656.tif 000008
【図７】
2018123656.tif 000009
【図８】
2018123656.tif 000010
【図９】
2018123656.tif 000011
【図１０】
2018123656.tif 000012
【図１１】
2018123656.tif 000013
【図１２】
2018123656.tif 000014
【図１３】
2018123656.tif 000015
【図１４】
2018123656.tif 000016
【図１５】
2018123656.tif 000017
【図１６】
2018123656.tif 000018
【図１７】
2018123656.tif 000019
【図１８】
2018123656.tif 000020
【図１９】
2018123656.tif 000021
【図２０】
2018123656.tif 000022
【図２１】
2018123656.tif 000023
【図２２】
2018123656.tif 000024
【図２３】
2018123656.tif 000025
【図２４】
2018123656.tif 000026
【国際調査報告】
2018123656.tif 000027
2018123656.tif 000028
2018123656.tif 000029
2018123656.tif 000030